(57)【要約】【課題】既に用いられている直管蛍光灯用の照明器具を用いて、ＬＥＤ用として使用できる照明器具を提供する。【解決手段】取付面に取り付けられて使用されている直管蛍光灯用の照明器具を用い、蛍光灯用のランプソケットを取り外して、ソケット取付孔にＬＥＤを直線上に複数個配設したＬＥＤ灯具の取付金具を取り付けるので、直管蛍光灯用の照明器具を容易にＬＥＤ用の照明器具として使用することができる。【選択図】図１
2012089425.tif 000002
【特許請求の範囲】
【請求項１】
直管蛍光灯用のソケットを取り外した器具本体と、
ＬＥＤを直線上に複数個配設し、両端に前記器具本体のソケット取付孔に係止可能な取付金具を有するＬＥＤ灯具と、を有する照明器具。
【請求項２】
請求項１に記載の照明器具において、
前記取付金具が、複数の前記ソケット取付孔に跨がって取り付けられる照明器具。
【請求項３】
請求項１または請求項２に記載の照明器具において、
前記取付金具が、バネ部材である照明器具。
【発明の詳細な説明】
【技術分野】
【０００１】
本発明は、従来の蛍光灯を用いた照明器具を利用して，ＬＥＤを用いることができるようにした照明器具に関するものである。
【背景技術】
【０００２】
従来より、ＬＥＤを用いた光源を容易に交換できる照明器具が知られている（例えば、特許文献１参照）。
図６に示すように、特許文献１に記載の照明器具１００では、ＬＥＤモジュール１０１と、器具本体１０２を有する。ＬＥＤモジュール１０１は複数のＬＥＤチップ１０４を搭載しており、給電端子部１０３を有する取付孔１０６有している。
器具本体１０２は、ＬＥＤモジュール１０１を着脱自在に保持するモジュール保持部材１０５を有し、給電端子部１０３に接続する接続部（図示省略）をモジュール保持部材１０５に設けている。
【０００３】
従って、ＬＥＤモジュール１０１を器具本体１０２に対向させ、取付孔１０６の大径部にモジュール保持部材１０５の頭部を貫通させた後、ＬＥＤモジュール１０１を回動してモジュール保持部材１０５を小径部に通し、給電端子部１０３に電気接触させる。これによりＬＥＤモジュール１０１の器具本体１０２への機械的保持と電気的接続が同時に行われる。
【先行技術文献】
【特許文献】
【０００４】
【特許文献１】特開２００３−６８１２９号公報（第１図）
【発明の概要】
【発明が解決しようとする課題】
【０００５】
前述した特許文献１に記載の照明器具１００は、元々ＬＥＤを用いた照明器具であり、ＬＥＤモジュール１０１の交換を容易にしたものである。
ところで、従来の直管蛍光灯を用いた照明器具を、ＬＥＤを用いた照明器具に交換する際には、被取付部に取り付けられている直管蛍光灯用の照明器具を取り外して、ＬＥＤ用の照明器具に付け替えるのが一般的である。
しかしながら、照明器具全体を取り替えるのは、面倒であり作業時間を要する。また、取り外した照明器具はゴミになるため、省エネの観点からも無駄が多いという問題があった。
【０００６】
本発明は、従来の問題を解決するためになされたもので、既に用いられている直管蛍光灯用の照明器具を用いて、ＬＥＤ用として使用できる照明器具を提供することを目的とする。
【課題を解決するための手段】
【０００７】
本発明の照明器具は、直管蛍光灯用のソケットを取り外した器具本体と、ＬＥＤを直線上に複数個配設し、両端に前記器具本体のソケット取付孔に係止可能な取付金具を有するＬＥＤ灯具と、を有するものである。
【０００８】
また、本発明の照明器具は、前記取付金具が、複数の前記ソケット取付孔に跨がって取り付けられるものである。
【０００９】
さらに、本発明の照明器具は、前記取付金具が、バネ部材であるものである。
【発明の効果】
【００１０】
本発明は、取付面に取り付けられて使用されている直管蛍光灯用の照明器具を用い、蛍光灯用のランプソケットを取り外して、そのソケット取付孔にＬＥＤを直線上に複数個配設したＬＥＤ灯具の取付金具を取り付けるので、直管蛍光灯用の照明器具を容易にＬＥＤ用の照明器具として使用することができるという効果を有する照明器具を提供できる。
【図面の簡単な説明】
【００１１】
【図１】（Ａ）は本発明に係る第１実施形態の照明器具の（Ｃ）中Ａ−Ａ位置の断面図であり、（Ｂ）は（Ａ）中Ｂ方向から見た底面図であり、（Ｃ）は（Ａ）中Ｃ−Ｃ位置の断面図
【図２】器具本体端部の拡大底面図
【図３】（Ａ）はＬＥＤ灯具を下方から見た斜視図であり、（Ｂ）はＬＥＤ灯具の端部を上方から見た斜視図
【図４】図１中ＩＶ−ＩＶ位置の断面図
【図５】（Ａ）は本発明に係る第２実施形態の照明器具における取付金具を上方から見た斜視図であり、（Ｂ）は取付金具をソケット取付孔に取り付けた状態を示す断面図
【図６】従来のＬＥＤ照明器具の分解斜視図
【発明を実施するための形態】
【００１２】
（第１実施形態）
以下、本発明に係る第１実施形態の照明器具について、図面を用いて説明する。
図１に示すように、本発明に係る実施形態の照明器具１０は、既に天井面１１等の取付面に取り付けられて使用されている直管蛍光灯用の器具本体２０を用いて、ＬＥＤ用の照明器具として用いる。
【００１３】
器具本体２０は、下方が開口（開口部２３）した矩形箱状を呈しており、内部における長手方向両端部には、以前、直管蛍光灯用のランプソケットが取り付けられていたソケット取付孔２２（図２参照）を有する取付板２１が設けられている。両取付板２１，２１の間には、反射板２４が取り付けられている。また、開口部２３を覆う透光性のカバー２５を着脱可能に取り付けることもできる。
【００１４】
ソケット取付孔２２には、直管蛍光灯のランプソケットに代わって、ＬＥＤ灯具３０が取り付けられる。
図３に示すように、ＬＥＤ灯具３０は、蒲鉾状の断面を有する柱状の灯具本体３３を有し、灯具本体３３の長手方向に沿って長い開口部３３１が設けられている。開口部３３１には、透光性のある樹脂製やガラス製のカバー３４が取り付けられる。
【００１５】
灯具本体３３の天板３３２の両端部には、ＬＥＤ灯具３０をソケット取付孔２２に着脱可能に取り付けるための取付金具３５が取り付けられている。
取付金具３５はバネ部材で形成されており、天板３３２から両外側上方に向かって延びた一対の支持片３５１を有している。支持片３５１の形状は任意であるが、支持片３５１には、例えば、ＬＥＤ灯具３０を引き下げた際に、途中でＬＥＤ灯具３０を仮係止する仮係止部を設けるのが望ましい。さらに、仮係止した状態で、指で支持片３５１をつまむことができるような長さにするのが望ましい。
【００１６】
また、天板３３２には、例えば、長手方向端部に開口３３３が設けられ、灯具本体３３の内部に設けられた端子台３６が露出している。この端子台３６には、電源線３７が接続される。
【００１７】
図４に示すように、ＬＥＤ灯具３０は、内部に基板３２を有し、基板３２には複数個のＬＥＤチップ３１が、ＬＥＤ灯具３０の長手方向に沿って一列に実装されている。
【００１８】
従って、ＬＥＤ灯具３０を取り付ける際には、取付金具３５の一対の支持片３５１を弾性力に抗して近付け、支持片３５１の両先端をソケット取付孔２２に挿入して、手を放す。一対の支持片３５１は、その弾性力により離反する方向へ変形し、取付板２１を内面から下方へ押圧する。
これにより、ＬＥＤ灯具３０は、ソケット取付孔２２に取り付けられる。
また、ＬＥＤ灯具３０を取り外す際には、ＬＥＤ灯具３０を下方へ引き下げ、指で一対の支持片３５１、３５１を近付けて、ソケット取付孔２２から引き抜く。
【００１９】
以上、説明した本発明に係る第１実施形態の照明器具１０によれば、天井面１１に取り付けられて使用されている直管蛍光灯用の照明器具を用い、直管蛍光灯用のランプソケットを取り外して、ソケット取付孔２２に、ＬＥＤチップ３１を直線上に複数個配設したＬＥＤ灯具３０の取付金具３５を取り付けるので、直管蛍光灯用の照明器具を容易にＬＥＤ用の照明器具として使用することができる。
【００２０】
また、取付金具３５がバネ部材で形成されているので、取付金具３５の一対の支持片３５１をソケット取付孔２２に挿入することにより、容易にＬＥＤ灯具３０を取り付けることができる。
【００２１】
（第２実施形態）
次に、本発明に係る第２実施形態の照明器具を図５に示す。なお、前述した第１実施形態にかかる照明器具１０と共通する部位には同じ符号を付して、重複する説明を省略することとする。
【００２２】
図５（Ａ）に示すように、本発明に係る第２実施形態の照明器具１０Ｂでは、取付金具３５Ｂが、複数のソケット取付孔２２に跨がって取り付けられるものである。このため、取付金具３５Ｂでは、一対の支持片３５１，３５１の間に、長い水平部３５２を設けた。なお、水平部３５２の長さ、すなわち、一対の支持片３５１，３５１の間隔は、ソケット取付孔２２の間隔に対応して調整する。
【００２３】
これにより、図５（Ｂ）に示すように、取付金具３５Ｂを２個のソケット取付孔２２、２２に取り付ける際に、水平部３５２が隣接するソケット取付孔２２、２２間の取付板２１を跨いで、各支持片３５１が別のソケット取付孔２２に挿嵌されることになる。
【００２４】
以上、説明した本発明に係る第２実施形態の照明器具１０Ｂによれば、ＬＥＤ灯具３０の取付金具３５Ｂを、複数のソケット取付孔２２に跨がって取り付けるので、複数本の直管蛍光灯を使用していた照明器具に、１本のＬＥＤ灯具３０を取り付けることができる。また、取付金具３５Ｂが広くなるので、安定して取り付けることができる。
【００２５】
なお、本発明の照明器具は、前述した各実施形態に限定されるものでなく、適宜な変形，改良等が可能である。
例えば、前述した各実施形態においては、ソケット取付孔２２が１列の場合および２列の場合について説明したが、３列以上の場合についても同様に適用できる。
【符号の説明】
【００２６】
１０、１０Ｂ  照明器具
２０  器具本体
２２  ソケット取付孔
３０  ＬＥＤ灯具
３１  ＬＥＤチップ（ＬＥＤ）
３５、３５Ｂ  取付金具
【図１】
2012089425.tif 000003
【図２】
2012089425.tif 000004
【図３】
2012089425.tif 000005
【図４】
2012089425.tif 000006
【図５】
2012089425.tif 000007
【図６】
2012089425.tif 000008